(57)【要約】【課題】前面扉を遊技機本体に取り付ける作業をスムーズに行う。【解決手段】前面扉を取り付けるには、前面扉から上方に突出する移動軸２６を軸受け２８に形成した案内通路２８ｄの入口２８ｅから案内通路２８ｄ内に進入させる。案内通路２８ｄ内に進入した移動軸２６の上端はコイルバネ２７の付勢力によって傾斜面２８ｈに当接する。移動軸２６を軸孔２８ｂに向けて移動させると、移動軸２６は、傾斜面２８ｈの傾斜によってコイルバネ２７の付勢に抗して押し下げられていく。移動軸２６の上端が傾斜面２８ｈを通過すると、その上端は水平面２８ｇに乗り上げる。水平面２８ｇに乗り上げた移動軸２６を軸孔２８ｂに向けて移動させると移動軸２６は軸孔２８ｂに落ち込んで軸孔２８ｂに挿入される。これにより、前面扉１７の取り付けが完了する。【選択図】図１３
2010131186.tif 000002
【特許請求の範囲】
【請求項１】
遊技機本体の前面を開閉する前面扉を前記遊技機本体に軸着する遊技機用ヒンジ機構において、
前記前面扉の上方又は下方の少なくともいずれか一方に向けて突出するとともに、その軸方向で移動自在な軸と、
前記軸をその突出方向に向けて付勢する付勢部材と、
前記遊技機本体に取り付けられた軸受けとを有し、
前記軸受けは、
略鉛直方向に延びるように形成された軸孔と、
前記軸孔に向かうように手前側から奥側に延びる案内通路を有し、前記案内通路の入口から前記軸を挿入して前記軸を水平移動させたときに前記軸を前記軸孔に案内するガイド溝と、
前記軸孔の奥側に設けた壁と、
前記ガイド溝内で前記軸孔の手前側に形成した水平面と、
前記ガイド溝内で前記水平面と連なるように前記水平面の手前側に形成するとともに前記水平面に向けて上り傾斜にした傾斜面とを備えたことを特徴とする遊技機用ヒンジ機構。
【請求項２】
前記案内通路の入口の幅が前記案内通路の幅よりも広くなっていることを特徴とする請求項１記載の遊技機用ヒンジ機構。
【発明の詳細な説明】
【技術分野】
【０００１】
外枠の枠内に取り付けられる遊技機本体の前面を開閉する前面扉を外枠に軸着する遊技機用ヒンジ機構に関するものである。
【背景技術】
【０００２】
パチンコ店に設置されるパチンコ機は、その本体部分が外枠と称される木製の枠の枠内に取り付けられる。パチンコ機の設置の際には、外枠がパチンコ店の島設備に釘を用いて固定される。パチンコ機は、その前面側を覆う前面扉を備えており、前面扉が有するガラス窓を通して遊技盤の盤面を視認できる。前面扉はヒンジ機構（例えば特許文献１，２）を用いて軸着されており、パチンコ機本体に対して開閉自在になっている。ところで、メンテナンスや部品交換などの理由から前面扉はパチンコ機本体から着脱自在に軸着する必要がある。そこで、本出願人は、次のように前面扉を軸着している。先ず、前面扉の上方に突出する軸を設け、この軸を軸方向に移動自在にするとともに突出方向に向けてバネ付勢している。また、前面扉の下面には軸孔を形成するとともに、この軸孔に対応する軸をパチンコ機本体に設けている。そして、前面扉の下面に形成した軸孔にパチンコ機本体の軸を挿入するとともに、前面扉の上方に突出する軸をパチンコ機本体の軸受けの軸孔に挿入して前面扉をパチンコ機本体に軸着している。前面扉をパチンコ機本体に取り付ける際には、その下面の軸孔に軸を挿入した後に、上方に突出する軸を押し下げながら軸と軸孔との相対的な位置合わせをし、位置合わせが完了してから保持を解除して軸を軸孔に挿入している。他方、前面扉をパチンコ機本体から取り外す際には、上方に突出する軸を押し下げながら前面扉を手前に引き出し、下面の軸孔を軸から引き抜いている。こうして、前面扉をパチンコ機本体から着脱することができる。
【特許文献１】特開平８−０３８７２０号公報
【特許文献２】特開２００５−１６８７１７号公報
【発明の開示】
【発明が解決しようとする課題】
【０００３】
ところで上記のようなパチンコ機では、前面扉を取り付ける際には、前面扉の下面に形成した軸孔にパチンコ機本体の軸を挿入し、この部分を支点にして前面扉を傾けながら上方に突出する軸と軸受けの軸孔との相対的な位置合わせを行うため、前面扉の重量を支えながら位置合わせを行う必要が生じ、また、略鉛直方向に延びる軸孔を目視することが困難であるため、両者の位置合わせをスムーズに行うことが困難であった。これにより、前面扉を取り付ける作業の効率が悪かった。
【０００４】
本発明は、上記課題を解決するためになされたもので、前面扉を遊技機本体に取り付ける作業をスムーズに行うことができる遊技機用ヒンジ機構を提供することを目的とする。
【課題を解決するための手段】
【０００５】
本発明の遊技機用ヒンジ機構は、遊技機本体の前面を開閉する前面扉を前記遊技機本体に軸着する遊技機用ヒンジ機構において、前記前面扉の上方又は下方の少なくともいずれか一方に向けて突出するとともに、その軸方向で移動自在な軸と、前記軸をその突出方向に向けて付勢する付勢部材と、前記遊技機本体に取り付けられた軸受けとを有し、前記軸受けは、略鉛直方向に延びるように形成された軸孔と、前記軸孔に向かうように手前側から奥側に延びる案内通路を有し、前記案内通路の入口から前記軸を挿入して前記軸を水平移動させたときに前記軸を前記軸孔に案内するガイド溝と、前記軸孔の奥側に設けた壁と、前記ガイド溝内で前記軸孔の手前側に形成した水平面と、前記ガイド溝内で前記水平面と連なるように前記水平面の手前側に形成するとともに前記水平面に向けて上り傾斜にした傾斜面とを備えたものである。
【０００６】
なお、前記案内通路の入口の幅が前記案内通路の幅よりも広くなっていることが好ましい。
【発明の効果】
【０００７】
請求項１に係る遊技機用ヒンジ機構によれば、傾斜面によって軸を軸孔への移動に伴って押し下げることが可能になり、水平面によって軸孔の手前側で軸の移動経路を変化させて軸が軸孔を乗り越えることを防止することが可能になり、軸孔の奥側の壁を形成することによって軸が軸孔を乗り越えた場合に軸が軸孔の奥側に移動してしまうことを防止することが可能になるので、前面扉を遊技機本体に取り付ける作業をスムーズに行うことができる。
【０００８】
請求項２に係る遊技機用ヒンジ機構によれば、軸を案内通路の入口に容易に侵入させることが可能になり、前面扉を遊技機本体に取り付ける作業をスムーズに行うことができる。
【発明を実施するための最良の形態】
【０００９】
図１に示すように、パチンコ機１０は、枠状のパチンコ機本体（遊技機本体）１１と、パチンコ機本体１１が枠内に取り付けられた外枠１２とを備えている。パチンコ機本体１１の前面には遊技盤１３が着脱自在に取り付けられている。遊技盤１３の盤面には、遊技球の入賞を契機に当たり又はハズレを決定する抽選が行われる始動入賞口１４、図柄の変動表示を行った後に当たり又はハズレを表示する液晶ディスプレイ１５、当たりに当選すると開放するアタッカ１６など各種の役物が設けられている。パチンコ機本体１１の前面側には前面扉１７が開閉自在に軸着されている。前面扉１７の中央部にはガラス窓１７ａが設けられており、ガラス窓１７ａを通して遊技盤１３の盤面を視認できる。この他、パチンコ機本体１１には、遊技球の受け皿１８や遊技球を発射させる操作ハンドル１９などが取り付けられている。
【００１０】
図２に示すように、前面扉１７は、扉本体２０と外装カバー２１とガラス板２２とからなる。扉本体２０は略矩形の枠状に形成されており、その上辺の前面にはスピーカーが取り付けられている。外装カバー２１は、略矩形の枠状で扉本体２０よりも一回り大きく形成されている。外装カバー２１は扉本体２０にその前面側から取り付けられる。外装カバー２１を扉本体２０に取り付けると、扉本体２０の前面及び四方の側面が覆われる。ガラス板２２は、扉本体２０にその背面側から取り付けられる。扉本体２０の前面には、その左側の上端と下端の隅に板状の軸用ブラケット２３，２４が取り付けられている。
【００１１】
図３に示すように、本発明の遊技機用ヒンジ機構２５は、軸用ブラケット２３と、移動軸（軸）２６と、コイルバネ（付勢部材）２７と、軸受け２８とを備えている。
【００１２】
軸用ブラケット２３はコの字形に形成されており、その背面が扉本体２０の前面にネジ止めされて、上下の折り曲げ部分が前方に突出している。軸用ブラケット２３の上下の折り曲げ部分には移動軸２６が貫通している。移動軸２６はその軸方向で移動自在になっており、上端が外装カバー２１に形成された孔２１ａから突出している。また、コイルバネ２７は軸用ブラケット２３の上下の折り曲げ部分の間に配置されるとともに、移動軸２６に挿通されている。移動軸２６の周面にはコイルバネ２７の上端に接するフランジ２６ａ（図１３参照）が形成されている。コイルバネ２７の下端は軸用ブラケット２３によって保持されている。これにより、移動軸２６は上方、すなわちその突出方向に向けて付勢されている。
【００１３】
移動軸２６の下端部は２段階に折り曲げられており、その下端は扉本体２０の前面に形成された切り欠き２０ａに挿通されている。このため、移動軸２６の下端は扉本体２０の背面側に突出している。切り欠き２０ａはＬ字形に形成されている。移動軸２６が切り欠き２０ａの上下方向に延びる部分に挿通されているときは、移動軸２６を上下方向で移動させることができる。常態では、コイルバネ２７の付勢によって移動軸２６は切り欠き２０ａの上縁に当接している。この状態から、移動軸２６の下端部で扉本体２０の背面側への突出部分をコイルバネ２７の付勢に抗して押し下げるとともに、該突出部分を切り欠き２０ａの屈曲部分に向けて回動操作すると、移動軸２６がその軸周りに回転して切り欠き２０ａの屈曲部分に進入する。これにより、移動軸２６をコイルバネ２７の付勢力に抗した状態で保持することができる。
【００１４】
軸受け２８は、パチンコ機本体１１の左方の上端隅に取り付けられた軸受け用ブラケット２９に一対のネジ３０を用いて固定されている。軸受け２８には移動軸２６が着脱自在に取り付けられる。
【００１５】
図４〜図１１に示すように、軸受け２８は樹脂を用いて形成されており、その上面が略半円状に形成されている。軸受け２８の上面には、軸受け２８を軸受け用ブラケット２９にネジ止めするためのネジ孔２８ａが２箇所に形成され、移動軸２６を挿入する軸孔２８ｂが１箇所に形成されている。軸受け２８をパチンコ機本体１１に取り付けた状態では軸孔２８ｂは略鉛直方向に延びた状態となる。
【００１６】
軸受け２８の底面には、略水平移動する移動軸２６を軸孔２８ｂに案内するガイド溝２８ｃが形成されている。ガイド溝２８ｃは案内通路２８ｄを備えている。案内通路２８ｄは、軸受け２８をパチンコ機本体１１に取り付けた状態で軸孔２８ｂに向けて手前側から奥側に延びている。案内通路２８ｄ内にはその入口２８ｅから移動軸２６が挿入される。軸孔２８ｂはガイド溝２８ｃの内壁（壁）２８ｆでその奥側を含む周囲が囲まれている。また、ガイド溝２８ｃ内には軸孔２８ｂの手前側に水平面２８ｇが形成されている。さらに、ガイド溝２８ｃ内には水平面２８ｇに連なるとともに、水平面２８ｇに向けて上り傾斜の傾斜面２８ｈが水平面２８ｇの手前側に形成されている。傾斜面２８ｈは案内通路２８ｄの入口２８ｅまで延びている。案内通路２８ｄは、入口２８ｅから軸孔２８ｂに向けて徐々にその通路幅が狭くなっている。すなわち、案内通路２８ｄの通路幅よりも入口２８ｅのほうがその幅が広くなっている。
【００１７】
図１２に示すように、軸用ブラケット２４はＬ字形に形成されており、その背面が扉本体２０の前面にネジ止めされて、折り曲げ部分が前方に突出している。軸用ブラケット２４の折り曲げ部分には軸孔２４ａが形成されており、パチンコ機本体１１に設けられ、上方に突出する固定軸１１ａが挿入される。
【００１８】
次に、前面扉１７を着脱する際の作業の流れについて説明する。
【００１９】
前面扉１７を取り付けるには、先ず、軸用ブラケット２４の軸孔２４ａにパチンコ機本体１１の固定軸１１ａを挿入する。次に、この部分を支点にして、前面扉１７全体を傾けながら移動軸２６を軸受け２８に向けて移動させる。
【００２０】
この後、図１３に示すように、移動軸２６を略水平移動させて案内通路２８ｄの入口２８ｅから案内通路２８ｄ内に進入させる。
【００２１】
図１４に示すように、案内通路２８ｄ内に進入した移動軸２６の上端はコイルバネ２７の付勢力によって傾斜面２８ｈに当接する。移動軸２６を軸孔２８ｂに向けて移動させると、移動軸２６は、傾斜面２８ｈの傾斜によってコイルバネ２７の付勢に抗して押し下げられていく。
【００２２】
図１５に示すように、移動軸２６の上端が傾斜面２８ｈを通過すると、その上端は水平面２８ｇに乗り上げる。これにより、移動軸２６の移動経路が変化する。
【００２３】
図１６に示すように、水平面２８ｇに乗り上げた移動軸２６を軸孔２８ｂに向けて移動させると移動軸２６は軸孔２８ｂに落ち込んで軸孔２８ｂに挿入される。これにより、前面扉１７の取り付けが完了する。
【００２４】
他方、前面扉１７を取り外すには、先ず、前面扉１７を開放する。そして、前面扉１７の背面側からの操作により、移動軸２６の下端部であって前面扉１７の背面側に突出した部分をコイルバネ２７の付勢に抗して押し下げる。この後、移動軸２６の該突出部分を切り欠き２０ａの屈曲部分に向けて回動操作することにより、移動軸２６を切り欠き２０ａの屈曲部分に進入させて、移動軸２６を押し下げた状態で保持させる。そして、前面扉１７を手前側に引き出して移動軸２６を案内通路２８ｄから引き出す。移動軸２６を案内通路２８ｄから引き出した後は、パチンコ機本体１１の固定軸１１ａから軸用ブラケット２４の軸孔２４ａを引き抜けば前面扉１７の取り外しが完了となる。
【００２５】
以上のように、傾斜面２８ｈが形成されているので、移動軸２６をコイルバネ２７の付勢に抗して押し下げなくても、移動軸２６はその移動に伴って押し下げられていく。これにより、作業者は予め移動軸２６を押し下げる手間を省くことができる。
【００２６】
また、水平面２８ｇが形成されているので、移動軸２６の移動経路を変更でき、移動軸２６が軸孔２８ｂの上方を通過してしまうことを防止できる。これにより、確実に軸孔２８ｂに移動軸２６を挿入できる。
【００２７】
仮に軸孔２８ｂの上方を移動軸２６が通過してしまっても、移動軸２６がガイド溝２８ｃの内壁２８ｆにぶつかって移動軸２６がそれ以上奥側に移動することを防止でき、また、作業者はそれ以上移動軸２６を奥側に移動させなくてもよいことを把握できる。よって、作業者は内壁２８ｆに移動軸２６がぶつかったときに移動軸２６の移動を中止すれば、移動軸２６はコイルバネ２７の付勢力によって軸孔２８ｂに挿入される。これにより、移動軸２６と軸孔２８ｂとの相対的な位置合わせをする必要がなくなって作業を効率良く行うことができる。
【００２８】
上記実施形態では、移動軸２６を前面扉１７の上方に突出するようにしたが、下方に突出させてもよく、また、上方及び下方の両方から突出させてもよい。
【００２９】
上記実施形態では、付勢部材としてコイルバネ２７を用いたが、例えば板バネなど適宜の部材を用いてよい。
【図面の簡単な説明】
【００３０】
【図１】パチンコ機の外観斜視図である。
【図２】前面扉の分解斜視図である。
【図３】遊技機用ヒンジ機構の構成を示す斜視図である。
【図４】軸受けの正面側斜視図である。
【図５】軸受けを裏返した状態の正面側斜視図である。
【図６】軸受けの正面図である。
【図７】軸受けの背面図である。
【図８】軸受けの平面図である。
【図９】軸受けの底面図である。
【図１０】軸受けの左側面図である。
【図１１】軸受けの右側面図である。
【図１２】遊技機本体の軸を前面扉の軸孔に挿入した状態を示す縦断面図である。
【図１３】移動軸を案内通路に挿入する直前の状態を示す縦断面図である。
【図１４】移動軸の先端が傾斜面に接しながら移動している状態を示す縦断面図である。
【図１５】移動軸の先端が水平面に接しながら移動している状態を示す縦断面図である。
【図１６】移動軸が軸受けの軸孔に挿入された状態を示す縦断面図である。
【符号の説明】
【００３１】
１０  パチンコ機（遊技機）
１１  パチンコ機本体（遊技機本体）
１１ａ  固定軸
２６  移動軸（軸）
２７  コイルバネ（付勢部材）
２８  軸受け
２８ａ  ネジ孔
２８ｃ  ガイド溝
２８ｄ  案内通路
２８ｅ  入口
２８ｆ  内壁（壁）
２８ｇ  水平面
２８ｈ  傾斜面
【図１】
2010131186.tif 000003
【図２】
2010131186.tif 000004
【図３】
2010131186.tif 000005
【図４】
2010131186.tif 000006
【図５】
2010131186.tif 000007
【図６】
2010131186.tif 000008
【図７】
2010131186.tif 000009
【図８】
2010131186.tif 000010
【図９】
2010131186.tif 000011
【図１０】
2010131186.tif 000012
【図１１】
2010131186.tif 000013
【図１２】
2010131186.tif 000014
【図１３】
2010131186.tif 000015
【図１４】
2010131186.tif 000016
【図１５】
2010131186.tif 000017
【図１６】
2010131186.tif 000018